(57)【要約】      （修正有）【課題】隙間の減少を図るとともに、コスト的に安価なマスクを提供する。【解決手段】気体の通過が可能なシート状の素材を用いて装着者の鼻と口を覆った状態で使用するマスクであって、鼻の両脇と頬の段差部分において、シートを略水平方向のライン６に沿って内側への折り返し部分７を形成したことを特徴とする。【選択図】図１
0003231879.tif 000002
【実用新案登録請求の範囲】
【請求項１】
気体の通過が可能なシート状の素材を用いて装着者の鼻と口を覆った状態で使用するいわゆるマスクにおいて、鼻の両脇と頬の段差部分において、シートを略水平方向のラインに沿って内側への折り返し部分を形成したことを特徴とするマスク。
【請求項２】
左右対称な２個の部材を中央で結合して形成するマスクにおいて、下側の装着者の顎に当たる部分の結合を下方にほぼ直線上に形成したことを特徴とする請求項１記載のマスク。
【請求項３】
耳掛け穴に相当する部位の近傍に少なくとも１個の横Ｕ字型の切り込みを設けたことを特徴とする請求項１記載のマスク。
【考案の詳細な説明】
【技術分野】
【０００１】本考案は呼気の拡散を制限するために人の口及び鼻孔を覆ういわゆるマスクに関するものであり、目の下周辺の鼻と頬の段差によって生ずる隙間からの呼気の漏れを減少することを目的としたものである。
【背景技術】
【０００２】シート状の素材で形成されたマスクは、鼻と口から排出される細菌などを含んだ可能性のある呼気を広く吹き広げないためと、外部の埃や花粉などの有害な微粉塵を不用意に吸い込まないための目的で使用される。
その性能の評価はシート素材自体の通気性と細菌などの遮断特性が主体であるが、見落としてはならないのが顔面とシートの間の隙間をいかにして小さくするかである。いくら上記性能の高いシート素材を使用しても、わずかな隙間があれば、その性能を大きく損なってしまうことになる。このようにマスクにとって重要なポイントである隙間の減少を図ることが本考案の目的である。
非特許文献に代わる参考商品紹介【０００３】市販されているマスクにはこの隙間を減少する目的でマスクの上縁に針金状の可撓素材を付加し、顔の凹凸にマスクを合わせようとするものもある。しかし、この方法は個人が指先などで容易に調整できる一方、かなりラフな調整しかできず、漏れを減少できる効果は限定的である。たばこの煙を用いた実験ではかなりの量の呼気の漏れが視認されており、その証拠として寒冷時、および雨天でのマスク着用時の眼鏡の曇りが、マスクの着用を嫌う原因となっている。【０００４】また、いわゆる防毒マスクのように完全に顔面形状に合わせて製作し、クッション部材を付加したものを、強い力で顔面に押し付けるものはあるが、高価であり、使用時のストレスも大きく、一般使用には適していない。市販のマスクでは素材から一体的に製作したマスクには、いわゆる紐の長さの調節機能はなく、装着圧の調整は出来ない。このことが原因で呼気の漏れが充分に防止できない場合もある。
【考案の概要】
【考案が解決しようとする課題】
【０００５】本考案の主な目的はもちろんマスクと顔面との呼気の漏れの減少であるが、高価のものとなってしまっては広く一般に普及させることはできない。また、使用時のストレスが大きければ結局いわゆる鼻出しマスクや、顎掛けモスクを増やすことになり、マスクの効果を期待できないものとなってしまう。【０００６】  使用者がマスクの掛け心地を評価する大きなポイントは眼鏡の曇りであろう。逆に眼鏡が曇るためにマスクを外してしまうことも多くみられる。この点で、特にウイルス対策となれば極めて危険な状態の原因にもつながりかねないので、使用者のストレスの軽減、言い換えれば眼鏡の曇り防止が一つの大きな指標となる。【０００７】更に、本考案の目的はマスクの機能を改善するためのものであり、高価なものであっては、本来の目的にそぐわないものとなってしまう。上記のかなり高度な機能の要求と、コスト的に安価なものであることとを両立することが本考案の課題である。
【課題を解決するための手段】
【０００８】ガーゼや薄い不織布を用いたマスクは自由に形状を決めることはできないが、発砲したウレタンやシート状に加工された化学製品は打ち抜き加工で自由な形状に形成することができる。このマスクは通常のマスクの装着時における目の下の鼻の両脇に相当する部分を内側に織り込むことで、素材の弾力を利用して隙間を塞ぎこの部分からの呼気の漏洩を防ぐ構造のマスクである。【０００９】逆にこのタイプのマスクはいわゆる紐の長さを調節できないので装着圧を最適化できない。この課題の解決するためには耳掛け穴に複数のＵ字型の切り込みを追加することで、容易に対処することができる。
【考案の効果】
【００１０】上記の説明で明らかなごとく、本考案のマスクは、極めて簡単な構造で人の呼気が鼻と頬の隙間から飛散するのを防ぎ、眼鏡の曇りを防止することで、装着時のストレスを軽減し、鼻出しマスクや顎掛けマスクなどの危険な行為を防止することができる。しかもマスク自体のコストアップの要因はなく、広く使用される。ウイルスの感染の予防には多くの努力がごく小さな油断から台無しになる。そのような原因となる要因を防止し得るので、その社会的、経済的効果は計り知れない。
【図面の簡単な説明】
【００１１】
【図１】図１は、本考案のマスクカバーの１実施例の形状を示す平面図である。
【図２】図２は、本考案のマスクカバーの１実施例の人への装着時の側面図である。
【考案を実施するための形態】
【実施例】
【００１２】本考案は上記課題を解決するための極めて合理的な技術であり、その手段は極めて簡単である。以下上記の図とともにその構造を説明する。
微細な隙間から気体を透過し得る弾力を有する柔らかなシート状の素材で形成された本体１は、左右対称な形状として中央部５で接合されて装着時に立体的に顔の形状にマッチする如く形成されている。２は耳に掛けるための耳掛け穴である。この状態は市販されている通常のマスクと同様である。異なる点は上部中央に切り欠き３とその左右に対象な位置に切り欠き４を設け、該切り欠き３及び４の低点を結ぶ線６で折り返し部７を内側に折り返して使用することである。このようにすることで装着者の鼻の両脇での目の下の頬との隙間を本体１の素材の弾力で折り返し部７によって塞ぐことができる。折り返し部７の幅及び長さは図に示す形状から変化しても本考案の趣旨を損なうものではない。更に、耳掛け穴の近傍には横Ｕ字型の切り込み９が複数個設けてある。【００１３】折り返し部７を別の発泡性の素材等で形成して、接着剤、粘着剤などで取り付けたものは見られるが、該素材の弾性及び気密性の選択に課題があり、呼気の漏れを有効に防止できていない。また、金属の針金などを縫い込んだ構造のものがあるが、装着者が指で針金を曲げて形成する形は、必ずしも装着者の顔の形に適したものとはならず、目的を達成できていない。更に別素材を取り付けることの煩わしさによるコストアップ、洗濯などによる再利用の際の取り扱いなどの多くの点で本考案より劣るものであり、本考案の優位性が変わることはない。【００１４】また、左右の素材を結合する中央部５で装着者の顎に当たる下側部８は、通常顎を包むように湾曲して接合されているものが多いが、これは装着者が会話などで口を開閉させたときにマスクの装着位置を下側に引張り、正規の位置から移動させてしまう。しかし、元の位置に戻す機能はないので、位置を戻す場合は手を添えて修正する必要がある。このようなことを防ぐためには、この下側部８の接合形状を直線的にする必要がある。比較的腰のある（柔らかすぎない）素材であり、適当な装着圧があれば顎都の滑り運動があっても位置ずれや呼気の漏れを生ずることはない。【００１５】更に複数の横Ｕ字型の切り込み９は任意に選択して耳を掛けることができる。そのことによって装着圧を最適にして、ストレスのない範囲で呼気の漏れを最小にすることが出来、コストアップも生じない。
【産業上の利用可能性】
【００１６】以上の説明で明らかなごとく本考案のマスクは構造が簡単なだけでなく、呼気の漏れが的確に防止され、装着者の眼鏡が曇るというストレスから生じる鼻出しマスク、顎掛けマスクなどの危険な行為を防止し、マスク自体のコストアップを防ぎ、再利用時の取り扱いも容易にすることができるものであり、その社会的、経済的効果は極めて著しい。
【符号の説明】
【００１７】１    本体
２    耳掛け穴
３    切り欠き
４    切り欠き
５    接合部
７    折り返し部
８    下側部
９    横Ｕ字型の切り込み
【図１】
0003231879.tif 000003
【図２】
0003231879.tif 000004